(57)【要約】【目的】手ぶれを防止する。【構成】カメラの正面に撮像レンズ３が設けられている。中心軸が撮像レンズ３の光軸３ａと一致するように，カメラの背面にシャッタ・レリーズ・ボタン６が設けられている。シャッタ・レリーズ・ボタン６を押す力は，光軸３ａの方向に加わるので手ぶれを防止できる。【選択図】  図４
2004184647.tif 000002
【特許請求の範囲】
【請求項１】
被写体像を結像する撮像レンズが前面に設けられており，上記撮像レンズが設けられている範囲に対応する背面の範囲近傍に，上記撮像レンズの光軸方向と同じ方向に押下自在にシャッタ・レリーズ・ボタンが設けられている，カメラ。
【請求項２】
上記シャッタ・レリーズ・ボタンの中心軸が，上記撮像レンズが設けられている範囲と対応する上記背面の範囲内に含まれるものである，請求項１に記載のカメラ。
【請求項３】
上記シャッタ・レリーズ・ボタンの中心軸と上記撮像レンズの光軸とが一致している，請求項１に記載のカメラ。
【請求項４】
上記シャッタ・レリーズ・ボタンが上記背面のほぼ中心にある，請求項１に記載のカメラ。
【発明の詳細な説明】
【０００１】
【産業上の利用分野】
この発明は，カメラに関する。
【０００２】
【従来技術】
シャッタ・レリーズ時におけるカメラの手ぶれを防止するために，シャッタ操作を行うための静電スイッチが正面部に設けられ，この静電スイッチが配置された位置にほぼ対応する背面の位置に自動焦点合わせおよび自動露出調整の操作を行うための押しボタンスイッチが設けられているものがある（例えば，特許文献１参照）。このカメラは，静電スイッチと押しボタンスイッチとが同時に押されることによりそれぞれのスイッチに与えられる力が相互に打ち消され，手ぶれが防止される。
【０００３】
【特許文献１】
特開平９−２２４１８４号公報
【０００４】
しかしながら，正面に配置された静電スイッチと背面に配置された押しボタンスイッチとを同時に押さなければならないため操作性が悪い。
【０００５】
【発明が解決しようとする課題】
この発明は，比較的簡単に手ぶれを防止することを目的とする。
【０００６】
【発明の開示】
この発明によるカメラは，被写体像を結像する撮像レンズが前面に設けられており，上記撮像レンズが設けられている範囲に対応する背面の範囲近傍に，上記撮像レンズの光軸方向と同じ方向に押下自在にシャッタ・レリーズ・ボタンが設けられていることを特徴とする。
【０００７】
カメラは，被写体像をフィルムに光学的に記録するカメラ，電子スチル・カメラ，ムービ・ビデオ・カメラ，携帯電話または携帯型情報機器にカメラの機能をもたせたもの等の被写体を撮影するための撮影装置を含む概念である。
【０００８】
撮像レンズは，望遠レンズ，ズームレンズ，広角レンズ等を含む。
【０００９】
この発明によると，シャッタ・レリーズ・ボタンは，カメラの背面に設けられているので，シャッタ・レリーズ・ボタンを押下する方向は撮像レンズの光軸方向と同じ方向となる。シャッタ・レリーズ・ボタンを下に押下する場合に比べ，カメラの回転を未然に防止できるので手ぶれ防止となる。
【００１０】
押下する力が加えられるシャッタ・レリーズ・ボタンの中心軸は，力点の位置に相当すると考えられ，手ぶれにより影響を受ける撮像レンズの光軸は，作用点の位置に相当すると考えられる。この発明によると，シャッタ・レリーズ・ボタンは，撮像レンズが設けられている範囲に対応する背面の範囲近傍に設けられており，シャッタ・レリーズ・ボタンの中心軸と撮像レンズの光軸との距離は比較的近い。このために，力点にあるシャッタ・レリーズ・ボタンに力が加わっても，作用点にある撮像レンズに作用する力は比較的小さくなる。上下，左右などにカメラがぶれてしまうことを未然に防止できる。
【００１１】
上記シャッタ・レリーズ・ボタンの中心軸は，たとえば，上記撮像レンズが設けられている範囲と対応する上記背面の範囲内に含まれる。上記シャッタ・レリーズ・ボタンの中心軸と上記撮像レンズの光軸とが一致することがより好ましい。
【００１２】
また，上記シャッタ・レリーズ・ボタンは，上記背面のほぼ中心に位置決めしてもよい。このためにカメラは，回転しにくいので，カメラがぶれてしまうことを未然に防止できる。
【００１３】
【実施例の説明】
図１〜図４は，この発明の第１実施例を示している。図１は，カメラの平面図，図２は正面図，図３は背面図および図４は撮像レンズとシャッタ・レリーズ・ボタンとの関係を示している。
【００１４】
カメラ１の正面２のほぼ中央の位置に，撮像レンズ３が嵌め込まれた鏡筒４が装着されている。正面から見て鏡筒４の左上部には，光学ビュー・ファインダ８が形成されている。カメラ１の上面にはストロボ装置７が設けられている。カメラ１の背面５には，そのほぼ中心にシャッタ・レリーズ・ボタン６が設けられている。中心軸が撮像レンズ３の光軸３ａと一致するように，シャッタ・レリーズ・ボタン６が設けられている。シャッタ・レリーズ・ボタン６の押下方向は撮像レンズ３の光軸３ａの方向である。
【００１５】
ユーザによってシャッタ・レリーズ・ボタン６が押されたときにカメラ１に与えられる力の方向は撮像レンズ３の方向となる。光軸３ａを中心にカメラ１が回転してしまうことを未然に防止でき，手ぶれを防ぐことができる。
【００１６】
特に，中心軸と光軸３ａとが一致するように，シャッタ・レリーズ・ボタン６が配置されているので，カメラ１が上下方向または左右方向にずれることもない。
【００１７】
図５（ａ）から（ｃ）は，撮像レンズ３とシャッタ・レリーズ・ボタン６との位置関係を示している。
【００１８】
（ａ）は，撮像レンズ３の光軸３ａとシャッタ・レリーズ・ボタン６の中心軸６ａとが一致していないが，光軸３ａがシャッタ・レリーズ・ボタン６内を通っているものである。
【００１９】
（ｂ）は，光軸３ａがシャッタ・レリーズ・ボタン６内を通らないが，撮像レンズ３によって規定される範囲エリア３ｂ内にシャッタ・レリーズ・ボタン６が収まるように位置決めされているものである。
【００２０】
（ｃ）は，撮像レンズ３によって規定される範囲エリア３ｂ内にシャッタ・レリーズ・ボタン６が収まっていないが，中心軸６ａが撮像レンズ３によって規定される範囲エリア３ｂ内に含まれるものである。
【００２１】
図５（ａ）〜（ｃ）のいずれのようにシャッタ・レリーズ・ボタン６を配置してもよい。シャッタ・レリーズ・ボタン６が押されたときに，手ぶれを防ぐことができる。
【００２２】
図６，および図７は，第２実施例を示すものである。図６は，カメラ付き携帯電話の斜視図，図６はカメラ付き携帯電話の側面図である。
【００２３】
カメラ付き携帯電話１０は第１の半体２０と第２の半体３０とを備えている。第１の半体２０の下部と第２の半体３０の上部とが，ヒンジ２５によって折り曲げ自在に保持されている。
【００２４】
主として図６を参照して，第１の半体２０の内側の面には，そのほぼ全面に表示画面２１が形成されている。この表示画面２１の上部にスピーカ２２が設けられている。また，表示画面２１の下部には，シャッタ・レリーズ・ボタン２３が設けられている。
【００２５】
図７を参照して，第１の半体２０の外側の面には，光軸２４ａがシャッタ・レリーズ・ボタン２３の中心軸と一致するようにカメラ装置の撮像レンズ２４が設けられている。撮像レンズ２４は，その回りがガイドにより保護されているのはいうまでもない。
【００２６】
図６にもどって，第２の半体３０の内側の面には，テン・キーパッド，オン・フック・ボタン，オフ・フック・ボタン等を含む操作ボタン３１が設けられている。操作ボタン３１の下部にマイクロフォン３２が設けられている。さらに，第１の半体２０と第２の半体３０を折り曲げたときに第１の半体２０に設けられているシャッタ・レリーズ・ボタン２３および第２の半体３０に設けられている操作ボタン３１が押下されるのを防ぐための一対の突条部３３が第１の半体２０の下部に設けれている。
【００２７】
このようなカメラ付き携帯電話１０においてもシャッタ・レリーズ・ボタン２３を押すときに携帯電話１０に加わる力の方向は，撮像レンズ２４の光軸２４ａの方向である。第１実施例と同様に手ぶれを未然に防止できる。
【００２８】
第２実施例においても第１実施例と同様に，撮像レンズ２４の光軸２４ａとシャッタ・レリーズ・ボタン２３の中心軸とが一致せずに，第１の半体２０の内側の面において，撮像レンズ２４に対応する位置にシャッタ・レリーズ・ボタン２３が配置されていればよい。
【００２９】
いうまでもなく，携帯電話は折たたみ自在でないものであってもよい。
【図面の簡単な説明】
【図１】カメラの平面図を示すものである。
【図２】カメラの正面図を示すものである。
【図３】カメラの背面図を示すものである。
【図４】撮像レンズとシャッタ・レリーズ・ボタンとの配置関係を示すものである。
【図５】撮像レンズとシャッタ・レリーズ・ボタンとの位置関係を示すものである。（ａ）は，撮像レンズの光軸がシャッタ・レリーズ・ボタン内を通っている位置でのシャッタ・レリーズ・ボタンの配置，（ｂ）は，撮像レンズによって規定される範囲内に収まる位置でのシャッタ・レリーズ・ボタンの配置，（ｃ）は，中心軸が撮像レンズによって規定される範囲内に含まれる位置でのシャッタ・レリーズ・ボタンの配置である。
【図６】カメラ付き携帯電話の斜視図を示すものである。
【図７】カメラ付き携帯電話の側面図を示すものである。
【符号の説明】
１，１Ａ  手ぶれ防止用カメラの本体
３，２４  撮像レンズ
３ａ，２４ａ  光軸
６，２３  シャッタ・レリーズ・ボタン
６ａ  中心軸
【図１】
2004184647.tif 000003
【図２】
2004184647.tif 000004
【図３】
2004184647.tif 000005
【図４】
2004184647.tif 000006
【図５】
2004184647.tif 000007
【図６】
2004184647.tif 000008
【図７】
2004184647.tif 000009